(57)【要約】      （修正有）【課題】ＢＢ弾が当たると火薬が炸裂し、火薬の炸裂音、閃光、煙、においなどの臨場感を体感することが可能となる射撃用標的部材を提供する。【解決手段】射撃遊技の目標となる１以上の区画を有する射撃用標的部材であって、区画の各々に対応して設けられ、衝撃に応じて火薬を爆発可能な構造を有する爆発部材と、区画よりも大きく開口する開口部と、開口部から前記爆発部材に向けて縮径する縮径部と、を有する案内部材と、を備え、ある区画に対応する開口部に侵入した射撃の弾が、縮径部を通じて、爆発部材へと案内されることで、火薬が爆発する。【選択図】図１
0003173455.tif 000002
【実用新案登録請求の範囲】
【請求項１】
射撃遊技の目標となる１以上の区画を有する射撃用標的部材であって、
前記区画の各々に対応して設けられ、衝撃に応じて火薬を爆発可能な構造を有する爆発部材と、
前記区画よりも大きく開口する開口部と、前記開口部から前記爆発部材に向けて縮径する縮径部と、を有する案内部材と、を備え、
ある区画に対応する前記開口部に侵入した射撃の弾が、前記縮径部を通じて、前記爆発部材へと案内されることで、火薬が爆発する射撃用標的部材。（標的部をファンネルの形状にすることにより、直径６ミリのＢＢ弾が誘導されて市販の７ミリの火薬に当たり、発火させることが可能となる。）
【請求項２】
前記爆発部材は、前記縮径部へと火薬を押し込む押込部材（ハンマー）と、を有する請求項１記載の射撃用標的部材。（ファンネルに装着された火薬を火薬側から調節しながら固定できるハンマー。ファンネルの火薬装着部を、連結されシート状になっている火薬に押し付けて装着ができるように、火薬装着部を火薬が収まる形状にしてある。）
【請求項３】
前記開口部の一部を被覆し、前記射撃の弾の前記開口部への侵入を阻害する阻害部材（リムカバー）を更に備える請求項１又は２記載の射撃用標的部材。（リムカバーの開口部の大きさを数種類用意する。）
【請求項４】
前記阻害部材は、前記開口部に着脱可能に設けられる請求項３記載の射撃用標的部材。
【考案の詳細な説明】
【技術分野】
【０００１】
本考案は、エアーソフトガン用のターゲットに関するものである。
【背景技術】
【０００２】
従来のターゲットでは紙に穴が開くだけのものや、ＢＢ弾がターゲットにくっつくだけのものであった。
【０００３】
打ち手以下（ギャラリー）は見ていても面白くない。
【０００４】
従来はターゲットに火薬をセットして炸裂させるものはなかった。
【先行技術文献】
【非特許文献】
【０００５】
【非特許文献１】実開平０２−１０９１９６
【考案の開示】
【考案が解決しようとする課題】
【０００６】
現行販売しているモデルガン用火薬（大きさ７ミリ）を的にして、１０メートルくらい離れた所から６ミリのＢＢ弾を当てて発火させることができる。
【０００７】
火薬の爆発による臨場感を打ち手、ギャラリー（観客）が同時に体感できるようにする。
【課題を解決するための手段】
【０００８】
通常エアガンの性能は１０メートル離れて５〜１０センチメートルの範囲に集弾できる程度であり、直径７ミリの火薬を狙って当てるのは不可能であるが、火薬の前に円錐状のファンネルを設置することによってＢＢ弾丸が誘導されて火薬に当てることが可能となる。
【考案の効果】
【０００９】
ファンネルの設置によって火薬を炸裂させることが可能となる。ＢＢ弾が当たって火薬を炸裂させることにより、炸裂音、閃光、煙、においなどの臨場感が味わえる。以上の臨場感はファンネルから打ち手側に向かって現れるのでより鮮明な反応が味わえる。このターゲットは打ち手とギャラリーが、同時に当たりと外れを確認できるのでゲームや大会、イベントなどに使用できる。
【００１０】
ＢＢ弾丸が火薬に直接当たって発火させるため、暴発の危険性がない。
【００１１】
市販の火薬を利用できるため、新たに専用の火薬を製造する手間がかからない。
【００１２】
市販の火薬は小さいため指で持ちにくい。本ファンネルの先端は火薬装着部を火薬が収まる形状にしており、市販の火薬シートを分解せずに上から押し付けて装着できるため、簡単に、しかも手を汚すことなく火薬の装着ができる。
【００１３】
二次的に作動するような部品(スプリング等)を
使用する場合は、他の衝撃(本体を落としたり構造部品の破損等)により
暴発の危険性があるが、本構造では開口部より弾が直接当たらない限り、暴発の危険性がない。
【００１４】
リムカバーを装着することによって、ファンネル部の損傷を防ぐことができる。また、リムカバーの開口部の大きさを数種類用意することによってターゲットからの距離を変えることなく難易度の変更ができる。これによりハンデをつけることが可能となる。また、本体は横から見るとターゲットには見えないが、正面から見ると円形のため打ち手には通常のターゲットと変わらないように見え、違和感がない。
【００１５】
市販の火薬の形状には製造上の若干のばらつきがあるため、確実な発火をさせる必要がある。そのためファンネルにセットした火薬に対し、ハンマーをねじ込みながら先端が火薬に当たるように微調整をして、火薬の固定を確実にする。
【考案を実施するための形態】
【００１６】
以下本考案の形態を示す図面に基づき説明する。
【００１７】
図１に示す如く、エアーソフトガン用火薬入りターゲットの側面図で各部品が結合される前の状態。６を固定した４を、２にあらかじめ固定されている１にねじ込んで装着する。さらに４の開口部に３をはめ、火薬部に５をねじ込み、６の火薬が固定する。
【００１８】
図２に示す如く、側面図で各部品を結合後の状態。
【００１９】
図３に示す如く、正面開口部から見た状態。
【００２０】
図４に示す如く、上部から見た状態。
【００２１】
図５に示す如く、３を正面から見た状態。中央開口部が標的となる。標的の面積は最大。
【００２２】
図６に示す如く、３を正面から見た状態。標的の面積は中。開口部が少し狭まり、的が小さくなる。
【００２３】
図７に示す如く、３を正面から見た状態。標的の面積は最小。開口部が狭まり、より的が小さくなる。
【００２４】
図８に示す如く、火薬装着部の拡大図を示す。４にはめ込まれた６の７部分に５の先端が接着し、固定される。
【００２５】
図９に示す如く、市販のモデルガン用火薬の断面図。７の形状はばらつきがあるため５の装着時に調整する。
【００２６】
図１０に示す如く、モデルガン用火薬の販売形態を上部から見た状態。
【００２７】
図１１に示す如く、モデルガン用火薬の販売形態を下部から見た状態。
【図面の簡単な説明】
【００２８】
【図１】図１はエアーソフトガン用火薬入りターゲットの、各部品結合前の側面図である。
【図２】図２は各部品結合後の側面図である。
【図３】図３は正面図である。
【図４】図４は上部から見た図である。
【図５】図５はリムカバー（標的面積大）の正面図である。
【図６】図６はリムカバー（標的面積中）の正面図である。
【図７】図７はリムカバー（標的面積小）の正面図である。
【図８】図８は火薬装着部の拡大図である。
【図９】図９は市販のモデルガン用火薬の断面図である。
【図１０】図１０はモデルガン用火薬の販売形態を上部から見たものである。この様に各火薬が連結し、シート状になっている。
【図１１】図１１はモデルガン用火薬の販売形態を下部から見たものである。
【符号の説明】
【００２９】
１    ホルダー部
２    台座
３    リムカバー
４    ファンネル
５    ハンマー
６    市販のモデルガン用火薬（キャップ部）
７    市販のモデルガン用火薬の火薬部
８    市販のモデルガン用火薬シートの枠
【図１】
0003173455.tif 000003
【図２】
0003173455.tif 000004
【図３】
0003173455.tif 000005
【図４】
0003173455.tif 000006
【図５】
0003173455.tif 000007
【図６】
0003173455.tif 000008
【図７】
0003173455.tif 000009
【図８】
0003173455.tif 000010
【図９】
0003173455.tif 000011
【図１０】
0003173455.tif 000012
【図１１】
0003173455.tif 000013
【手続補正書】
【提出日】平成23年11月29日(2011.11.29)
【手続補正１】
【補正対象書類名】実用新案登録請求の範囲
【補正対象項目名】全文
【補正方法】変更
【補正の内容】
【実用新案登録請求の範囲】
【請求項１】
射撃遊技の目標となる１以上の区画を有する射撃用標的部材であって、前記区画の各々に対応して設けられ、衝撃に応じて火薬を爆発可能な構造を有する爆発部材と、前記区画よりも大きく開口する開口部と、前記開口部から前記爆発部材に向けて縮径する縮径部と、を有する案内部材と、を備え、ある区画に対応する前記開口部に侵入した射撃の弾が、前記縮径部を通じて、前記爆発部材へと案内されることで、火薬が爆発する射撃用標的部材。
【請求項２】
前記爆発部材は、前記縮径部へと火薬を押し込む押込部材であるハンマーと、を有する請求項１記載の射撃用標的部材。
【請求項３】
前記開口部の一部を被覆し、前記射撃の弾の前記開口部への侵入を阻害する阻害部材であるリムカバーを更に備える請求項１又は２記載の射撃用標的部材。
【請求項４】
前記阻害部材は、前記開口部に着脱可能に設けられる請求項３記載の射撃用標的部材。